(57)【要約】【課題】ハーネスを位置規制する部材のねじ止めが行いやすい遊技機の機構盤の提供。【解決手段】ハーネス14をベース部材11側部に位置規制するカバー部材21、このカバー部材21をベース部材11に軸支する位置決め手段、カバー部材21がベース部材11の所定位置まで回動されたときにカバー部材21をベース部材11に仮止めする仮止め手段及びカバー部材21をベース部材11にねじ止めするねじ止め手段を備え、ベース部材11側部にガイド壁19と、このガイド壁19基端からベース部材11の外側方に向い広がった規制面20とが設けられ、ガイド壁19がハーネス14を屈曲させ規制面20に導くコーナー部19aを有し、位置決め手段がカバー部材21の突起部22とこの突起部22が挿入される挿入部23とを有し、挿入部23がコーナー部19a近傍にあり、仮止め手段がカバー部材21に設けられた爪24等とこの爪24等が係止される係止部26等とからなる。【選択図】図９
2008183114.tif 000002
【特許請求の範囲】
【請求項１】
遊技盤の盤面に設けられた取付孔にその盤面の裏側から嵌め込まれる枠状のベース部材と、このベース部材の中央部に取付けられた表示装置と、前記ベース部材の裏側に取付けられた回路基板と、この回路基板に接続されたハーネスとを備えた遊技機の機構盤において、
前記ハーネスの少なくとも一部を覆って前記ベース部材の一側部に位置規制するカバー部材と、
このカバー部材を前記ベース部材に回動可能に軸支する位置決め手段と、
この位置決め手段により軸支された前記カバー部材が前記ベース部材の所定位置まで回動されたとき、前記カバー部材を前記ベース部材に仮止めする仮止め手段と、
この仮止め手段により仮止めされた前記カバー部材を前記ベース部材にねじ止めするねじ止め手段とを備え、
前記ベース部材の前記一側部には、前記盤面に直交する方向に突出したガイド壁と、このガイド壁の基端から前記盤面と平行な方向に広がった規制面とが設けられていて、これらガイド壁および規制面に沿って前記ハーネスが引き回されているとともに、前記ガイド壁がコーナー部を有し、このコーナー部に前記ハーネスが沿わされることで屈曲させられていて、
前記位置決め手段が、前記規制面および前記カバー部材のいずれか一方に設けられた突起部と、他方に設けられていて前記突起部が回動自在に挿入される挿入部とを有するとともに、前記規制面に設けられた前記突起部または前記挿入部が前記コーナー部の近傍にあり、
前記仮止め手段が、前記ベース部材および前記カバー部材のいずれか一方に設けられた爪と、他方に設けられていてその爪が係止される係止部とから構成されたことを特徴とする遊技機の機構盤。
【発明の詳細な説明】
【技術分野】
【０００１】
本発明は、遊技盤の盤面に設けられた取付孔にその盤面の裏側から嵌め込まれる枠状のベース部材と、このベース部材の中央部に取付けられた表示装置と、ベース部材の裏側に取付けられた回路基板と、この回路基板に接続されたハーネスとを備えた遊技機の機構盤に関する。
【背景技術】
【０００２】
遊技機の機構盤には、照明装置、ソレノイド、モータ等の種々の電気部品が取り付けられている。これらの電気部品と、これらを制御する制御装置とは、機構盤の裏側で回路基板やハーネスを介して接続されている（特許文献１参照）。
【特許文献１】特開平６−８６８４８号公報
【発明の開示】
【発明が解決しようとする課題】
【０００３】
ところで、遊技機の機構盤には、遊技盤の盤面に設けられた取付孔にその盤面の裏側から嵌め込まれるものがある。この機構盤は、前記取付孔に嵌め込まれる枠状のベース部材と、このベース部材の中央部に取付けられた表示装置と、ベース部材の裏側に取付けられた回路基板と、この回路基板に接続されたハーネスとを備えている。この機構盤を備えた遊技機には、制御装置が機構盤の裏側に重ねて配置されている。このため、制御装置と表示装置との間や制御装置とベース部材との間にハーネスを挟まないように、ハーネスを屈曲させてベース部材の一側部に沿って引き回すことが行われている。
【０００４】
このようにハーネスが引き回された場合、ハーネスは、その屈曲させられている部分の弾性によってベース部材の外側方に突出しやすい。したがって、回路基板やハーネスが設けられたベース部材を、遊技盤の取付孔に対して嵌め込んだり引き抜いたりするためには、手指でベース部材の側部にハーネスを位置規制することによって、取付孔の周囲に設けられた他の部材や機器にハーネスを引っ掛けないようにする必要がある。このため、機構盤の遊技盤に対する組付けや取外しが行いにくい。また、ハーネスを他の部材や機器に引っ掛けてしまった場合には、ハーネスを損傷させるおそれがある。
【０００５】
そこで、機構盤を取付孔に嵌め込む前に、所定部材をハーネスに押し当ててねじ止めすることでハーネスを屈曲状態のままで位置規制しておくことが考えられる。この場合、所定部材をハーネスの復元力に抗して手指で押さえながらベース部材にねじ止めすることになるが、このねじ止め作業は行いにくい。
【０００６】
本発明は、前述の実情を考慮してなされたものであり、その目的は、ハーネスを位置規制する部材のねじ止めが行いやすい遊技機の機構盤を提供することにある。
【課題を解決するための手段】
【０００７】
前述の目的を達成するために、本発明は、遊技盤の盤面に設けられた取付孔にその盤面の裏側から嵌め込まれる枠状のベース部材と、このベース部材の中央部に取付けられた表示装置と、前記ベース部材の裏側に取付けられた回路基板と、この回路基板に接続されたハーネスとを備えた遊技機の機構盤において、前記ハーネスの少なくとも一部を覆って前記ベース部材の一側部に位置規制するカバー部材と、このカバー部材を前記ベース部材に回動可能に軸支する位置決め手段と、この位置決め手段により軸支された前記カバー部材が前記ベース部材の所定位置まで回動されたとき、前記カバー部材を前記ベース部材に仮止めする仮止め手段と、この仮止め手段により仮止めされた前記カバー部材を前記ベース部材にねじ止めするねじ止め手段とを備え、前記ベース部材の前記一側部には、前記盤面に直交する方向に突出したガイド壁と、このガイド壁の基端から前記盤面と平行な方向に広がった規制面とが設けられていて、これらガイド壁および規制面に沿って前記ハーネスが引き回されているとともに、前記ガイド壁がコーナー部を有し、このコーナー部に前記ハーネスが沿わされることで屈曲させられていて、前記位置決め手段が、前記規制面および前記カバー部材のいずれか一方に設けられた突起部と、他方に設けられていて前記突起部が回動自在に挿入される挿入部とを有するとともに、前記規制面に設けられた前記突起部または前記挿入部が前記コーナー部の近傍にあり、前記仮止め手段が、前記ベース部材および前記カバー部材のいずれか一方に設けられた爪と、他方に設けられていてその爪が係止される係止部とから構成されたことを特徴とする。
【０００８】
このように構成された本発明によれば、カバー部材のベース部材への取付作業を次の「（１）」〜「（４）」手順で行うことができる。
【０００９】
（１）ガイド壁、規制面およびコーナー部を利用してハーネスをベース部材の一側部に沿って引き回し、（２）位置決め手段により、すなわち突起部と挿入部とによりカバー部材を前記ベース部材に回動可能に軸支させ、（３）軸支されたカバー部材をベース部材の外側方からベース部材に近づく方向にベース部材の所定位置まで回動させて、仮止め手段により、すなわち爪と係止部とにより仮止めし、（４）仮止めされたカバー部材を、ねじ止め手段によりベース部材にねじ止めする。
【００１０】
この手順によれば、「（３）」においてカバー部材がハーネスの少なくとも一部を覆ってベース部材の一側部に位置規制した状態に仮止めされるので、カバー部材をねじ止めする際にカバー部材を押さえておく必要がなく、カバー部材のねじ止めが行いやすい。
【発明の効果】
【００１１】
本発明によれば、ハーネスを位置規制する部材であるカバー部材のねじ止めを行いやすい遊技機の機構盤を提供することができる。
【発明を実施するための最良の形態】
【００１２】
本発明の遊技機の機構盤の一実施形態について図１〜図９を用いて説明する。図１は本発明の一実施形態が備えられる遊技機の斜視図である。図２は図１に示した遊技機に備えられた遊技盤の正面図である。図３は図２に示した遊技盤の裏面図である。図４は本発明の一実施形態の前面側を示す斜視図である。図５は図４に示した実施形態の裏側にあってベース部材に設けられたガイド壁および規制面を示す斜視図である。図６は図５に示したベース部材にカバー部材が仮止めされた状態を示す裏面図である。図７は図６に示したカバー部材の拡大図である。図８は図６のＡ−Ａ断面図である。図９はカバー部材がベース部材に位置決めされる様子を示す図である。
【００１３】
図１に示すように、遊技機１は、遊技場の島設備に設置される機枠２と、機枠２の右側部（図１の左側）に回動可能に支持された前面枠３と、この前面枠３に右側部を回動可能に支持されたガラス扉４と、受け皿６や発射ハンドル７等を一体化してなる一体皿ユニット５を備えている。
【００１４】
前面枠３には、図２に示す遊技盤８が嵌め込まれている。この遊技盤８には、本実施形態である機構盤１０（図４，５に示す）が取付けられている。この機構盤１０は、遊技盤８の盤面９に設けられた取付孔９ａ（図３に示す）にその盤面９の裏側から嵌め込まれる枠状のベース部材１１（図６参照）と、このベース部材１１の中央部に取付けられた表示装置１２（図２に示す）と、ベース部材１１の裏側に取付けられた回路基板１３（図６に示す）と、この回路基板１３に接続されたハーネス１４（図６にを示す）とを備えている。なお、ハーネス１４は簡略化して描いてある。
【００１５】
図４に示すように、機構盤１０の前面には、表示装置１２の周囲の装飾と、入賞口（図示しない）へ遊技球の誘導路１６を兼ねた装飾部材１５が取付けられていて、この装飾部材１５には演出に応じて動作するよう制御される可動体１７とが取付けられている。図３に示すように、機構盤１０の裏側には、合成樹脂製のカバーで背面を覆われた制御装置１８（斜線部）が重ねられて配置されている。この制御装置１８は遊技盤８に固定されている。
【００１６】
図６に示すように、回路基板１３はベース部材１１の上部に取付けられているとともに、コネクタ１３ａを備えている。このコネクタ１３ａにハーネス１４が接続される（図示しない）。
【００１７】
図５に示すように、ベース部材１１の一側部、例えば右側部には、盤面９に直交する方向に突出したガイド壁１９と、このガイド壁１９の基端から盤面９と平行な方向に広がった規制面２０とが設けられている。ハーネス１４はガイド壁１９および規制面２０に沿って引き回されている。ガイド壁１９はその上部にコーナー部１９ａを有し、ハーネス１４がコーナー部１９ａに沿わされることで屈曲させられている。規制面２０は回路基板１３とは別の回路基板３４の設置スペースとしても利用されている。回路基板３４にはコネクタ３４ａが設けられている。
【００１８】
図６，７に示すように、機構盤１０は、ハーネス１４の少なくとも一部を覆ってベース部材１１の右側部に位置規制するカバー部材２１を備えている。このカバー部材２１はベース部材１１とは別体で、透明な樹脂製部材を成形してなる。また、カバー部材２１の寸法・形状は、規制面２０に沿わされたハーネス１４の部分のほぼ全体をガイド壁１９と規制面２０との間で覆うことができる寸法・形状になっている。また、カバー部材２１には、回路基板３４のコネクタ３４ａを露出させる開口２１ｂが設けられている。
【００１９】
機構盤１０はさらに、カバー部材２１をベース部材１１に回動可能に軸支する位置決め手段と、この位置決め手段により軸支されたカバー部材２１がベース部材１１の所定位置まで回動されたとき、カバー部材２１をベース部材１１に仮止めする仮止め手段と、この仮止め手段により仮止めされたカバー部材２１をベース部材１１にねじ止めするねじ止め手段とを備えている。
【００２０】
前記位置決め手段は、規制面２０およびカバー部材２１のいずれか一方、例えばカバー部材２１に設けられた突起部２２（図６に示す）と、他方すなわち規制面２０に設けられていて突起部２２が回動自在に挿入される挿入部２３、例えば孔（図５に示す）とを有する。挿入部２３はコーナー部１９ａの近傍にある。
【００２１】
前記仮止め手段は、ベース部材１１およびカバー部材２１のいずれか一方、例えばカバー部材２１に設けられた爪２４，２５（図７，８に示す）と、他方すなわちベース部材１１に設けられていて各爪２４，２５のそれぞれが係止される係止部２６，２７（図５，８に示す）とから構成されている。爪２４は、カバー部材２１の右側壁２１ａから遊技盤８の前方向に対応する方向に突出した鉤状の部分からなり、係止部２６はベース部材１１の右外側壁１１ａと規制面２０とにより形成される角に設けられた孔からなる。爪２５および係止部２７も、爪２４および係止部２６と同様のものである。
【００２２】
前記ねじ止め手段は、規制面２０の上部および下部のそれぞれにおいて後方に向かって突出した棒状の雌ねじ部２８，２９（図５に示す）、および、ガイド壁１９の下方においてベース部材１１から後方に突出した棒状の雌ねじ部３０（図５に示す）と、これらに螺合可能な３つのねじ（図示しない）と、カバー部材２１に設けられた孔であって、カバー部材２１がベース部材１１の前記所定位置に配置された状態において雌ねじ部２８，２９，３０に連通するねじ挿通孔３１，３２，３３（図６，７に示す）とから構成されている。この構成はねじ止め手段の一例であり、ねじ止め手段はこれに限定されるものではなく、このカバー部材２１がベース部材１１に固定できるものであればよい。
【００２３】
このように構成された本実施形態によれば、カバー部材２１のベース部材１１への取付作業を次の「（１）」〜「（４）」手順で行うことができる。
【００２４】
（１）ガイド壁１９、規制面２０およびコーナー部１９ａを利用してハーネス１４をベース部材１１の一側部に沿わせて引き回し、（２）位置決め手段により、すなわちカバー部材２１に設けられた突起部２２と規制面２０に設けられた挿入部２３とにより、カバー部材２１をベース部材１１に回動可能に軸支させ、（３）軸支されたカバー部材２１を、図９に示すようにベース部材１１の外側方からベース部材１１の右側部に近づく方向（矢印Ｂ方向）にベース部材１１の所定位置（図６に示す位置）まで回動させて、仮止め手段により、すなわち爪２４，２５と係止部２６，２７とにより仮止めし、（４）仮止めされたカバー部材２１を、ねじ止め手段により、すなわち雌ねじ部２８，２９，３０、ねじ挿通孔３１，３２，３３および３つのねじにより、ベース部材１１にねじ止めする。
【００２５】
本実施形態によれば次の効果を得られる。
【００２６】
本実施形態によれば、前述した手順の「（３）」でハーネス１４の少なくとも一部を覆ってベース部材１１の右側部に位置規制した状態にカバー部材２１が仮止めされるので、カバー部材２１をねじ止めする際にカバー部材２１を押さえておく必要がなく、カバー部材２１のねじ止めが行いやすい。
【００２７】
本実施形態によれば、カバー部材２１をベース部材１１に回動可能に軸支する位置決め手段が、コーナー部１９ａの近傍にあるので、規制面２０のコーナー部１９ａ側に位置するハーネス１４の部分、すなわち特に大きな反力をカバー部材２１に与えるハーネス１４の部分をカバー部材２１で押さえた状態で、カバー部材２１を回動させながらベース部材１１の所定位置へ配置することができる。これにより、カバー部材２１をベース部材１１の所定位置に配置する際、カバー部材２１とベース部材１１との間にハーネス１４が噛み込みにくく、ハーネス１４ガイド壁１９側に寄せやすい。
【００２８】
なお、本実施形態では、カバー部材２１が、規制面２０に沿わされたハーネス１４の部分のほぼ全体をガイド壁１９と規制面２０との間で覆うことができる寸法・形状に成形されているが、本発明におけるカバー部材の寸法・形状はそれに限定されるものではなく、ハーネス１４をガイド壁１９に沿うように位置規制できる寸法・形状であればよい。
【図面の簡単な説明】
【００２９】
【図１】本発明の一実施形態が備えられる遊技機の斜視図である。
【図２】図１に示した遊技機に備えられた遊技盤の正面図である。
【図３】図２に示した遊技盤の裏面図である。
【図４】本発明の一実施形態の前面側を示す斜視図である。
【図５】図４に示した実施形態の裏側にあってベース部材に設けられたガイド壁および規制面を示す斜視図である。
【図６】図５に示したベース部材にカバー部材が仮止めされた状態を示す裏面図である。
【図７】図６に示したカバー部材の拡大図である。
【図８】図６のＡ−Ａ断面図である。
【図９】カバー部材がベース部材に位置決めされる様子を示す図である。
【符号の説明】
【００３０】
１  遊技機
２  機枠
３  前面枠
４  ガラス扉
５  一体皿ユニット
６  受け皿
７  発射ハンドル
８  遊技盤
９  盤面
９ａ  取付孔
１０  機構盤
１１  ベース部材
１１ａ  右外側壁
１２  表示装置
１３  回路基板
１３ａ  コネクタ
１４  ハーネス
１５  装飾部材
１６  誘導路
１７  可動体
１８  制御装置
１９  ガイド壁
１９ａ  コーナー部
２０  規制面
２１  カバー部材
２１ａ  右側壁
２２  突起部
２３  挿入部
２４，２５  爪
２６，２７  係止部
２８，２９，３０  雌ねじ部
３１，３２，３３  ねじ挿通孔
３４  回路基板
３４ａ  コネクタ
【図１】
2008183114.tif 000003
【図２】
2008183114.tif 000004
【図３】
2008183114.tif 000005
【図４】
2008183114.tif 000006
【図５】
2008183114.tif 000007
【図６】
2008183114.tif 000008
【図７】
2008183114.tif 000009
【図８】
2008183114.tif 000010
【図９】
2008183114.tif 000011